【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
手差しトレイから給紙されるシートのサイズを検知できる印刷装置であって、
原稿を走査するスキャナと、
画像処理を行う画像処理手段と、
前記手差しトレイから給紙されたシートに画像を印刷する印刷手段と、
前記手差しトレイから給紙されるシートのサイズがユーザにより指定されない印刷モードにおいて、前記スキャナで第１原稿、第２原稿、第３原稿の順に走査された前記第１原稿、前記第２原稿、前記第３原稿のそれぞれに対応する第１画像、第２画像及び第３画像を前記スキャナから受け取り、
前記画像処理手段に前記第１画像と前記第２画像を処理させ、処理された第１画像を前記印刷手段により前記手差しトレイから給紙された第１のシートに印刷させ、処理された第２画像を前記印刷手段により前記手差しトレイから給紙された第２のシートに印刷させ、
前記第３画像から前記第１のシートの検知されたサイズに対応する画像を抽出し、前記画像処理手段に前記抽出された抽出画像を処理させ、前記処理された抽出画像を前記印刷手段により前記手差しトレイから給紙された第３のシートに印刷させるように制御する制御手段と、
を有することを特徴とする印刷装置。
【請求項２】
前記制御手段は、前記第１のシートの検知されたサイズに対応する画像を抽出することなく、前記画像処理手段に前記第１画像と前記第２画像の全体を処理させることを特徴とする請求項１に記載の印刷装置。
【請求項３】
前記制御手段は、前記画像処理手段に前記第３画像の未抽出の画像部分を処理させることなく、前記第３画像から抽出された画像処理させることを特徴とする請求項１に記載の印刷装置。
【請求項４】
前記制御手段は前記第３画像に続く画像のそれぞれから、前記第１のシートの検知されたサイズに対応する画像を抽出し、
前記画像処理手段にそれぞれの抽出された画像を処理させ、処理されたそれぞれの前記抽出された画像を前記印刷手段により前記手差しトレイから給紙された前記第３のシートに続くそれぞれのシートに印刷させることを特徴とする請求項１に記載の印刷装置。
【請求項５】
前記印刷モードは、前記手差しトレイから給紙されるシートのサイズを指定するようにユーザに要求しない印刷モードであることを特徴とする請求項１乃至４のいずれか１項に記載の印刷装置。
【請求項６】
手差しトレイから給紙されるシートの搬送方向の長さを検知できる印刷装置であって、
原稿を走査するスキャナと、
画像処理を行う画像処理手段と、
前記手差しトレイから給紙されたシートに画像を印刷する印刷手段と、
前記手差しトレイから給紙されるシートの前記搬送方向の長さがユーザにより指定されない印刷モードにおいて、前記スキャナで第１原稿、第２原稿、第３原稿の順に走査された前記第１原稿、前記第２原稿、前記第３原稿のそれぞれに対応する第１画像、第２画像及び第３画像を前記スキャナから受け取り、
前記画像処理手段に前記第１画像と前記第２画像を処理させ、処理された第１画像を前記印刷手段により前記手差しトレイから給紙された第１のシートに印刷させ、処理された第２画像を前記印刷手段により前記手差しトレイから給紙された第２のシートに印刷させ、
前記第３画像から前記第１のシートの検知された前記搬送方向の長さに対応する画像を抽出し、前記画像処理手段に前記抽出された抽出画像を処理させ、前記処理された抽出画像を前記印刷手段により前記手差しトレイから給紙された第３のシートに印刷させるように制御する制御手段と、
を有することを特徴とする印刷装置。
【請求項７】
前記制御手段は、前記第１のシートの検知された前記搬送方向の長さに対応する画像を抽出することなく、前記画像処理手段に前記第１画像と前記第２画像の全体を処理させることを特徴とする請求項６に記載の印刷装置。
【請求項８】
前記制御手段は、前記画像処理手段に前記第３画像の未抽出の画像部分を処理させることなく、前記第３画像から抽出された画像処理させることを特徴とする請求項６に記載の印刷装置。
【請求項９】
前記制御手段は前記第３画像に続く画像のそれぞれから、前記第１のシートの検知された前記搬送方向の長さに対応する画像を抽出し、
前記画像処理手段にそれぞれの抽出された画像を処理させ、処理されたそれぞれの前記抽出された画像を前記印刷手段により前記手差しトレイから給紙された前記第３のシートに続くそれぞれのシートに印刷させることを特徴とする請求項６に記載の印刷装置。
【請求項１０】
前記印刷モードは、前記手差しトレイから給紙されるシートの前記搬送方向の長さを指定するようにユーザに要求しない印刷モードであることを特徴とする請求項６乃至９のいずれか１項に記載の印刷装置。
【請求項１１】
印刷に使用するシートを搬送路を介して搬送し、搬送されるシートのサイズを検出する印刷装置であって、
原稿を読み取る読取手段と、
前記読取手段によって前記原稿を読み取ることによって得られた画像データに対して画像処理を実行する画像処理手段と、
印刷に使用するシートのサイズをユーザが指定しない印刷モードにおいては、
（Ａ）前記読取手段に原稿を所定のサイズで読み取らせ、
（Ｂ）印刷に使用するシートのサイズが検出されるまでは、前記所定のサイズの読み取りにより得られた画像データの全体を前記画像処理手段により画像処理させ、
（Ｃ）印刷に使用するシートのサイズが検出された後は、前記所定のサイズの読み取りにより得られた画像データのうち、検出されたシートのサイズに対応する部分を前記画像処理手段に画像処理させる制御手段と、
前記搬送路を介して搬送されたシートに、前記画像処理手段により画像処理された画像データに従って画像を印刷する印刷手段と、を有し、
前記制御手段は、印刷に使用するシートのサイズの検出を待たずに次のシートを搬送するよう制御することを特徴とする印刷装置。
【請求項１２】
前記制御手段は、１枚目及び２枚目の原稿に対応する画像データを前記画像処理手段に所定のサイズで画像処理させ、３枚目以降の原稿に対応する画像データを、前記画像処理手段に前記検出されたシートのサイズで画像処理させることを特徴とする請求項１１に記載の印刷装置。
【請求項１３】
前記制御手段は、１枚目の原稿に対応する画像データに基づく画像を印刷するシートのサイズを検出する前に、２枚目の原稿に対応する所定のサイズの画像データの画像処理を前記画像処理手段に開始させることを特徴とする請求項１１に記載の印刷装置。
【請求項１４】
前記搬送路は、シートの給送部から前記印刷手段によりシートに印刷が実行される部分まで前記シートを搬送するための搬送路であることを特徴とする請求項１１に記載の印刷装置。
【請求項１５】
前記シートのサイズは、前記搬送路を搬送されるシートの搬送方向の長さであることを特徴とする請求項１１乃至１４のいずれか１項に記載の印刷装置。
【請求項１６】
時間を計時する計時手段と、
前記搬送路でシートを検出するセンサと、を更に有し、
前記センサが前記搬送路を搬送されるシートの先端を検出してから当該シートを検出しなくなるまでの時間を前記計時手段により計時し、当該計時した時間と前記シートの搬送速度に基づいて前記シートの搬送方向の長さを検出することを特徴とする請求項１５に記載の印刷装置。
【請求項１７】
印刷に使用するシートのサイズをユーザが指定しない印刷モードを設定する設定手段を、更に有することを特徴とする請求項１１乃至１６のいずれか１項に記載の印刷装置。
【請求項１８】
前記制御手段は、前記画像処理手段が所定の能力を有しているか否かを判定し、
前記画像処理手段が前記所定の能力を有していないと判定されると、前記制御手段は、印刷に使用するシートのサイズを検出した後であっても、前記画像処理手段により、前記所定のサイズの読み取りにより得られた画像データの全体を前記画像処理手段に画像処理させるよう制御することを特徴とする請求項１１乃至１７のいずれか１項に記載の印刷装置。
【請求項１９】
前記所定の能力はトリミング能力であることを特徴とする請求項１８に記載の印刷装置。
【請求項２０】
前記制御手段は、前記印刷手段による一つのページの画像データに基づく画像が印刷されたシートが排紙センサを通過したときに、前記画像処理手段により画像処理された当該一つのページの画像データにおける未出力の部分の画像データの出力を停止させることを特徴とする請求項１１乃至１８のいずれか１項に記載の印刷装置。
【請求項２１】
前記所定のサイズは前記読取手段が読取可能な最大サイズであることを特徴とする請求項１１乃至２０のいずれか１項に記載の印刷装置。
【請求項２２】
印刷に使用するシートを搬送路を介して搬送し、搬送されるシートのサイズを検出する印刷装置の制御方法であって、
原稿を読み取る読取工程と、
前記読取工程で前記原稿を読み取ることによって得られた画像データに対して画像処理を実行する画像処理工程と、
印刷に使用するシートのサイズをユーザが指定しない印刷モードにおいては、
（Ａ）前記読取工程で原稿を所定のサイズで読み取らせ、
（Ｂ）印刷に使用するシートのサイズが検出されるまでは、前記所定のサイズの読み取りにより得られた画像データの全体を前記画像処理工程で画像処理させ、
（Ｃ）印刷に使用するシートのサイズが検出された後は、前記所定のサイズの読み取りにより得られた画像データのうち、検出されたシートのサイズに対応する部分を前記画像処理工程で画像処理させる制御工程と、
前記搬送路を介して搬送されたシートに、前記画像処理工程で画像処理された画像データに従って画像を印刷する印刷工程と、を有し、
前記制御工程では、印刷に使用するシートのサイズの検出を待たずに次のシートを搬送するよう制御されることを特徴とする制御方法。
【請求項２３】
コンピュータを、請求項１乃至２１のいずれか１項に記載の印刷装置の各手段として機能させるためのプログラム。
【手続補正２】
【補正対象書類名】明細書
【補正対象項目名】０００７
【補正方法】変更
【補正の内容】
【０００７】
上記目的を達成するために本発明の一態様に係る印刷装置は以下のような構成を備える。即ち、
手差しトレイから給紙されるシートのサイズを検知できる印刷装置であって、
原稿を走査するスキャナと、
画像処理を行う画像処理手段と、
前記手差しトレイから給紙されたシートに画像を印刷する印刷手段と、
前記手差しトレイから給紙されるシートのサイズがユーザにより指定されない印刷モードにおいて、前記スキャナで第１原稿、第２原稿、第３原稿の順に走査された前記第１原稿、前記第２原稿、前記第３原稿のそれぞれに対応する第１画像、第２画像及び第３画像を前記スキャナから受け取り、
前記画像処理手段に前記第１画像と前記第２画像を処理させ、処理された第１画像を前記印刷手段により前記手差しトレイから給紙された第１のシートに印刷させ、処理された第２画像を前記印刷手段により前記手差しトレイから給紙された第２のシートに印刷させ、
前記第３画像から前記第１のシートの検知されたサイズに対応する画像を抽出し、前記画像処理手段に前記抽出された抽出画像を処理させ、前記処理された抽出画像を前記印刷手段により前記手差しトレイから給紙された第３のシートに印刷させるように制御する制御手段と、を有することを特徴とする。